(57)【特許請求の範囲】
【請求項１】
円筒形の真空ドラム（２）の一部を原液中に浸漬させて原液槽（３）に回転自在に支架するとともに、該真空ドラム（２）の周部に設けた多数のろ過室（４）に金属ろ材（１０）を張設した真空ろ過機（１）において、上記原液槽（３）に両端を軸支したブラシロール（１２）を真空ドラム（２）の軸（２ｂ）と平行に配設し、該ブラシロール（１２）両端のローラー部（１２ａ）を真空ドラム（２）の側板（２ａ）に押圧して、真空ドラム（２）の回転力によりブラシロール（１２）を側板（２ａ）と同周速度で伝動回転させ、さらに真空ドラム（２）の側板（２ａ）の外径が金属ろ材（１０）を張設したろ過室（４）の外径よりも大きいことを特徴とする真空ろ過機のろ材再生装置。
【請求項２】
上記ブラシロール（１２）の押圧手段としてばね（１６）又は錘（１８）を使用することを特徴とする請求項１に記載の真空ろ過機のろ材再生装置。
【請求項３】
上記ブラシロール（１２）の押圧手段としてシリンダー（１９）を使用することを特徴とする請求項１に記載の真空ろ過機のろ材再生装置。
【発明の詳細な説明】
【０００１】
【発明の属する技術分野】
本発明は、真空吸引力により固液分離を行なう円筒回転型の真空ろ過機に関し、特に、ろ材の目詰まりを除去するろ材再生装置の改良に関するものである。
【０００２】
【従来の技術】
従来、円筒回転型の真空ろ過機において、真空ドラムに金属ろ材を張設して固液分離を行なうことは周知である。また、ろ材を再生する装置として、真空ドラムの表面のケーキをスクレパーを当設して剥離した後、洗浄管から洗浄水をろ材に噴射してろ材を再生する装置も公知である。
【０００３】
また、ろ材の目詰まり除去装置として、固液分離ドラムの軸と平行にブラシロールを配設し、このブラシロールを固液分離ドラムの外周に接触させて、固液分離ドラムの回転によって摩擦伝動回転するようにし、ブラシによってろ材の孔部に詰まっている異物を押し出すようにした装置が特開平１０−８０６０８号公報に記載されている。
【０００４】
【発明が解決しょうとする課題】
しかしながら、上記の従来方法のように、目詰まりしたろ材を再生するために、真空ドラムの表面に洗浄水を噴射する場合、高圧水が必要となり、多量の洗浄水を使用する為、排水量が増加する。又、洗浄水の飛散防止対策も行なわなければならず、ランニングコスト、イニシャルコスト共に高価になるという問題が有る。
【０００５】
又、ブラシロールを用いて、ろ材の孔部に詰まった異物を掻き出す方法は効果的であるが、特開平１０−８０６０８号公報に記載の発明は以下のような問題点が有る。即ち、ドラム外周の金属周部の外径と通水網部の外径とは同径であるため、ブラシロールは通水網と同じ周速度で回転しており、ろ材の孔部に詰まった異物をブラシによって内側方向に押し込むように作用しており、本発明における金属ろ材の目詰まり物を除去しようとすれば、逆に目詰まり物をろ材の中に押し込む恐れが有る。又、ブラシロールの自重のみでドラム外周に接触させているため、ドラム外周部に水分やケーキ等の固形物が付着した場合にはブラシロールがスリップして空転する恐れも有る。
【０００６】
【課題を解決するための手段】
本発明は上述のような課題を解決するものである。その要旨とするところは、円筒形の真空ドラムの一部を原液中に浸漬させて原液槽に回転自在に支架するとともに、該真空ドラムの周部に設けた多数のろ過室に金属ろ材を張設し、スクレパーを当設してケーキ剥離を行なうようにした真空ろ過機において、上記原液槽に両端を軸支したブラシロールを真空ドラムの軸と平行に配設し、該ブラシロール両端のローラー部を真空ドラムの側板に押圧して、真空ドラムの回転力によりブラシロールを側板と同周速度で伝動回転させるようにした。そして、上記真空ドラムの側板の外径が金属ろ材を張設したろ過室の外径よりも大きく、上記ブラシロールの押圧手段としてばね又は錘あるいはシリンダーを使用するようにしたものである。
【０００７】
【発明の実施の形態】
本発明に係る真空ろ過機のろ材再生装置は上述のように構成してあり、原液槽にスラリーを供給しながら、真空ポンプを駆動し、真空ドラムを回転させれば真空ドラムのろ過室に張設された金属ろ材面にスラリー中の固形物が吸着され、液面上でさらに脱水され、真空ドラムの表面にケーキが生成する。次にろ過室の一ヵ所にろ液の吸引側からエアーを供給してエアーブローを行ない、金属ろ材面からケーキを浮き上がらせ、スクレパー又は転着ロールで剥離して機外に排出する。この際、金属ろ材の目の中に吸引された固形物はスクレパー又は転着ロールでは除去できず、ろ過機の運転を継続しているうちに目の中の固形物は徐々に成長して目詰まりが発生するものである。
【０００８】
本発明は上記の目詰まりした固形物を除去するためにブラシロールを使用するものである。真空ろ過機のドラムは、そのろ過室に張設した金属ろ材の端部のシールを行なうためにドラムの側板の外径をろ過室の外径よりも少し大きく製作している。この左右の両側板にブラシロールのローラー部を押圧することにより、ブラシロールは側板と同じ周速度で伝動回転する。又、ブラシロールのブラシ部の直径はローラー部の直径よりも大きく構成しているので、ブラシ部がろ過室の金属ろ材面に接触しながら回転する。このとき、ブラシ部の周速度はろ過室部の周速度よりも大きくなり、周速度に差が生じる。この周速度の差によって金属ろ材の目に詰まった固形物はブラシによって外部に掻き出され、金属ろ材中の目詰まり物の除去ができるものである。即ち、スクレパー又は転着ロールでケーキ剥離を行ない、その後段でブラシロールを用いて金属ろ材中の目詰まり物を掻き出し、さらに、ブラシロールの後段で洗浄水を低圧で噴射すれば、ブラシロールで掻き出された固形物やろ材の目の中にまだ残っている固形物を洗い流して、ろ材を再生することができるものである。
【０００９】
【実施例】
本発明に係るろ材の再生装置について、図面に基づき具体的に説明する。図１は本発明の真空ろ過機１の側面図であり、一部を切断して図示している。真空ろ過機１において、符号２は原液槽３にその一部を浸漬させて回転自在に支架した真空ドラムであり、この真空ドラム２の周部に幅方向に仕切られたろ過室４…が多数設けてある。各ろ過室４には吸引管５が連結してあり、該吸引管５…の始端部が真空ドラム２軸心部に設けた回転弁６の吸引孔７…に嵌着している。該回転弁６には固定弁（図示せず）が摺接しており、この固定弁は吸着ゾーンＡ・脱水ゾーンＢ・エアーブローゾーンＣの３つにセパレートされており、吸着ゾーンＡと脱水ゾーンＢには真空ポンプ（図示せず）を連結し、エアーブローゾーンＣにはコンプレッサー（図示せず）を連結している。
【００１０】
そして、原液槽３内にスラリー供給口８よりスラリーを供給し、攪拌装置９を駆動して沈降防止を行なうようにしている。真空ポンプ（図示せず）によって吸着ゾーンＡのろ過室４…を真空吸引することにより、真空ドラム２の外周部に張設された金属ろ材１０の表面にはスラリー中の固形物が吸着され、ケーキ層を形成する。ろ過室４内に吸引されたろ液は吸引管５を通って機外に排出される。次に、真空ドラム２の回転にともなって吸着ゾーンＡでケーキを形成したろ過室４はスラリー中から離脱するが、金属ろ材１０面上のケーキ層は引き続き吸引されて液分がさらに分離される。この脱水ゾーンＢにより含液率の低い脱水ケーキを生成するものである。
【００１１】
そして、さらに真空ドラム２が回転することによりろ過室４が大気開放されると同時に、ろ過室４内にコンプレッサー（図示せず）から圧縮空気が供給され、金属ろ材１０上の脱水ケーキは、その裏面から圧力を受けて浮き上がり、スクレパー１１により剥離され、機外へ排出される。このとき、金属ろ材１０の表面や目の中にはスクレパー１１では掻き取りきれなかった固形物が残存しており、この状態で真空ろ過機１の運転を継続すれば、金属ろ材１０の目の中に固形物が徐々に堆積して目詰まりを起こし、運転不能となってしまう。上記の金属ろ材１０の目に残存している固形物を除去するために、スクレパー１１の後段にブラシロール１２を配設し、このブラシロール１２により目の中の固形物を掻き出し、ブラシロール１２の後段に設けた洗浄管１３から洗浄水を噴射して、金属ろ材１０表面の固形物を洗い流すものである。符号２０は洗浄排水を機外に排出する洗浄排水口であり、符号２１は原液槽３のドレーン口である。
【００１２】
次に、金属ろ材１０の再生方法について図２〜図７に基づき詳述する。図２は真空ドラム２の側面図であり、符号Ｄ１は両端の側板２ａ部の直径、符号Ｄ２は金属ろ材１０の直径であり、金属ろ材１０の両端部のシールを行なうためにＤ１＞Ｄ２となるように構成している。又、符号Ｌ１は側板２ａのセンター間の寸法である。側板２ａの中心と同心上に設けた回転弁６及び軸２ｂを軸支し、これを原液槽３で支架して、回転自在としている。図３は金属ろ材１０を再生するためのブラシロール１２を設けた側面図であり、このブラシロール１２は真空ドラム２の回転軸心と平行に配設している。符号Ｄ３はブラシロール１２のローラー部１２ａの直径、符号Ｄ４はブラシ部１２ｂの直径である。ブラシ部１２ｂが金属ろ材１０に摺接するためにＤ３＜Ｄ４となるように構成している。又、符号Ｌ２はローラー部１２ａのセンター間の寸法であり、Ｌ１＝Ｌ２となるようにしている。
【００１３】
図４は真空ドラム２の側板２ａにブラシロール１２のローラー部１２ａを押圧して金属ろ材１０を再生している状態を図示した側面図である。平板状のレバー１４の一端に軸受１４ａを設け、この軸受１４ａにブラシロール１２の軸１２ｃを回動自在に軸支するとともに、該レバー１４の中央部に支持ピン１４ｂを設け、この支持ピン１４ｂを原液槽３に固着してある軸受１５に回動自在に軸支し、レバー１４の他端にばね１６の一端を係合してある。そして、ばね１６の他端は原液槽３に固着してある受台１７に係止している。ばね１６の引張力により支持ピン１４ｂを支点としてレバー１４は回動し、ブラシロール１２のローラー部１２ａは真空ドラム２の側板２ａに押圧され、ブラシ部１２ｂは金属ろ材１０に圧接する。
【００１４】
そして、ローラー部１２ａは真空ドラム２の回転により側板２ａと同周速度で逆回転する。このとき、側板２ａの直径Ｄ１のほうが金属ろ材１０部の直径Ｄ２よりも大きいことから側板２ａの周速度が金属ろ材１０部の周速度よりも大きくなる。又、ローラー部１２ａの直径Ｄ３のほうがブラシ部１２ｂの直径Ｄ４よりも小さいことから、ブラシ部１２ｂの周速度がローラー部１２ａの周速度よりも大きくなる。即ち、金属ろ材１０部の周速度よりもブラシ部１２ｂの周速度のほうが大きくなり、差速が生じる。この差速によって金属ろ材１０の目の中に残存している固形物をブラシで掻き出し、ろ材の再生を行なうものである。図７は金属ろ材１０中の固形物をブラシで掻き出す状態を表わした拡大図である。
【００１５】
図５はブラシロール１２のローラー部１２ａの押圧手段として、ばね１６の代わりに錘１８を使用したものであり、錘１８の重量を変えることにより容易に押圧力を調節することができる。図６は押圧手段としてシリンダー１９を用いたものであり、シリンダー１９の押力を調節することによりローラー部１２ａの押圧力をろ過機の運転状態に合わせて任意に変更することができ、安定したろ材の再生が行なえる。又、金属ろ材１０中の残存固形物量が少ない場合等にはシリンダー１９を収縮させることによりブラシの摩耗を防げるものである。シリンダー１９の推力源としてエアーまたは油圧あるいは電動式のものを使用してもよいことは勿論のことである。
【００１６】
【発明の効果】
この発明のろ材再生装置は上記のように構成しており、周速度の差を利用してブラシロールを回転させ、金属ろ材中の目詰まり物を掻き出すようにしたものであり、特別な駆動機等が不要となり、装置の簡略化ができる。又、従来のように高圧洗浄水を使用してろ材中の目詰まり物を除去する方法と比べれば、洗浄水量が少量でよく、排水量も少ないため排水の処理費が安くなる。そして、ブラシロールは低速回転でその効果を発揮するためブラシロールの寿命が長くなり、イニシャルコスト、ランニングコスト、メンテナンスコストともに安価となり、その効果は非常に大きいものである。
【図面の簡単な説明】
【図１】本発明を施した真空ろ過機の一部縦断側面図である。
【図２】本発明に係る真空ドラムの正面図である。
【図３】本発明に係るろ材再生装置の正面図である。
【図４】同じく本発明に係るろ材再生装置の拡大側面図である。
【図５】同じく本発明に係る他の実施例のろ材再生装置の拡大側面図である。
【図６】同じく本発明に係る他の実施例のろ材再生装置の拡大側面図である。
【図７】同じく本発明に係るブラシロールの要部拡大側面図である。
【符号の説明】
１  真空ろ過機
２  真空ドラム
２ａ  側板
２ｂ  軸
３  原液槽
４  ろ過室
１０  金属ろ材
１２  ブラシロール
１２ａ  ローラー部
１６  ばね
１８  錘
１９  シリンダー
【図１】
0003693235.tif 000002
【図２】
0003693235.tif 000003
【図３】
0003693235.tif 000004
【図４】
0003693235.tif 000005
【図５】
0003693235.tif 000006
【図６】
0003693235.tif 000007
【図７】
0003693235.tif 000008